(57)【要約】【課題】測定情報の検索とその結果表示を容易に行える試料測定装置を提供する。【解決手段】試料を測定する測定部と、測定の進捗にしたがって、測定の状態を示す状態情報を含む試料の測定情報を生成して蓄積する測定情報蓄積手段と、蓄積された測定情報を抽出するために、試料の測定の状態に関する抽出条件を含む抽出情報をユーザが設定し登録するための抽出情報設定手段４１３ｂと、前記抽出情報設定手段４１３ｂによって登録された抽出情報をユーザが選択するための選択手段４１４と、前記選択手段４１４によって選択された抽出情報にしたがって、蓄積された測定情報を抽出する抽出手段４１１と、前記抽出手段４１１によって抽出された測定情報を表示する表示部４１２と、を備える。【選択図】図３
2008051723.tif 000002
【特許請求の範囲】
【請求項１】
試料を測定する測定部と、
測定の進捗にしたがって、測定の状態を示す状態情報を含む試料の測定情報を生成して蓄積する測定情報蓄積手段と、
蓄積された測定情報を抽出するために、試料の測定の状態に関する抽出条件を含む抽出情報をユーザが設定し登録するための抽出情報設定手段と、
前記抽出情報設定手段によって登録された抽出情報をユーザが選択するための選択手段と、
前記選択手段によって選択された抽出情報にしたがって、蓄積された測定情報を抽出する抽出手段と、
前記抽出手段によって抽出された測定情報を表示する表示部と
を備える試料測定装置。
【請求項２】
前記測定情報が、前記試料の属性を示す属性情報を含む請求項１記載の試料測定装置。
【請求項３】
前記測定情報が、前記試料の測定結果の属性を示す測定結果属性情報を含む請求項１または２記載の試料測定装置。
【請求項４】
前記抽出情報の抽出条件によって抽出された測定情報を前記表示部で表示する際の表示項目を、前記抽出情報ごとに登録するための表示項目設定手段を更に備えている請求項１〜３のいずれかに記載の試料測定装置。
【請求項５】
前記選択手段が、前記抽出情報に対応する複数のボタンを有する抽出条件選択画面を含み、
前記抽出情報選択画面を前記表示部に表示するための表示制御手段をさらに備える請求項１〜４のいずれかに記載の試料測定装置。
【請求項６】
前記抽出情報設定手段によって抽出条件の登録を受け付けることにより、前記抽出条件選択画面に登録を受け付けた抽出情報に対応するボタンが生成される請求項５記載の試料測定装置。
【請求項７】
前記抽出情報設定手段が、前記ボタンの名称を変更可能である請求項５又は６記載の試料測定装置。
【請求項８】
前記抽出情報設定手段が、前記複数の抽出条件の指定を受け付ける抽出条件指定部を有する抽出条件設定画面を含み、
前記抽出条件設定画面を前記表示部に表示するための表示制御手段をさらに備える請求項１〜４のいずれかに記載の試料測定装置。
【発明の詳細な説明】
【技術分野】
【０００１】
本発明は、試料測定装置に関するものであり、特に試料測定装置の表示に関するものである。
【背景技術】
【０００２】
分析装置の表示技術としては、特許文献１に記載のものがある。特許文献１の分析装置では、試料を特徴付ける条件を設定するための検索条件設定画面が設けられ、その画面で設定された条件に該当する分析結果を表示するよう構成されている。
前記分析装置では、検索条件設定画面にて、検索条件ボタンをキーボードにて選択することで必要な条件を選択し、続けて、設定ボタンを選択することで、条件入力が完了する。
【特許文献１】特開平７−１５９４１２号公報
【発明の開示】
【発明が解決しようとする課題】
【０００３】
特許文献1記載の分析装置においては、ユーザが測定結果の検索を行う度に検索条件の入力を行う必要がある。施設の測定結果管理の運用等によって、ユーザによっては同じ検索条件で何度も検索を行う場合が多々ある。特許文献１記載の技術では、複雑な検索条件の場合には、同じ検索条件を何度もユーザが入力する必要があり、非常に手間がかかるという問題があった。
そこで、本発明は、複雑な検索条件でも簡単に検索を行える試料測定装置を提供することを目的とする。
【課題を解決するための手段】
【０００４】
本発明は、試料を測定する測定部と、測定の進捗にしたがって、測定の状態を示す状態情報を含む試料の測定情報を生成して蓄積する測定情報蓄積手段と、蓄積された測定情報を抽出するために、試料の測定の状態に関する抽出条件を含む抽出情報をユーザが設定し登録するための抽出情報設定手段と、前記抽出情報設定手段によって登録された抽出情報をユーザが選択するための選択手段と、前記選択手段によって選択された抽出情報にしたがって、蓄積された測定情報を抽出する抽出手段と、前記抽出手段によって抽出された測定情報を表示する表示部とを備えるものである。
【０００５】
上記本発明によれば、ユーザは、予め、試料の測定の状態に関する抽出条件を含む抽出情報を設定して登録することができる。測定情報の表示を行う際には、ユーザが予め登録された抽出情報を選択することで、当該抽出情報における抽出条件に従った測定情報の抽出が行われ、その結果が表示される。したがって、測定情報の抽出をする度に抽出条件を設定しなくても、予め設定された抽出情報を選択することで、簡単に測定情報の抽出と結果表示が行われる。また、予め抽出情報が登録できるので、選択できる抽出情報の種類が増え、ユーザにとって、選択幅が広がる。また、抽出条件を含む抽出情報を設定して登録することができるので、使用頻度の高い抽出情報を登録でき、ユーザにとって、使い勝手が良くなる。
【０００６】
前記測定情報は、前記試料の属性を示す属性情報を含むのが好ましい。また、前記測定情報は、前記試料の測定結果の属性を示す測定結果属性情報を含むのが好ましい。
【０００７】
前記抽出情報の抽出条件によって抽出された測定情報を前記表示部で表示する際の表示項目を、前記抽出情報ごとに登録するための表示項目設定手段を更に備えているのが好ましい。この場合、抽出情報ごとに表示項目を設定できるため、抽出情報に応じた表示が行える。
【０００８】
前記選択手段が、前記抽出情報に対応する複数のボタンを有する抽出条件選択画面を含み、前記抽出情報選択画面を前記表示部に表示するための表示制御手段をさらに備えるのが好ましい。この場合、簡単に抽出情報を選択することができる。
【０００９】
前記抽出情報設定手段によって抽出条件の登録を受け付けることにより、前記抽出条件選択画面に登録を受け付けた抽出情報に対応するボタンが生成されるのが好ましい。この場合、ボタンが生成されるため、抽出情報の選択が容易となる。
【００１０】
前記抽出情報設定手段が、前記ボタンの名称を変更可能であるのが好ましい。この場合、抽出情報に応じて適切に名称を変更することができる。
【００１１】
前記抽出情報設定手段が、前記複数の抽出条件の指定を受け付ける抽出条件指定部を有する抽出条件設定画面を含み、前記抽出条件設定画面を前記表示部に表示するための表示制御手段をさらに備えるのが好ましい。この場合、抽出条件の設定が容易となる。
【発明の効果】
【００１２】
本発明によれば、測定情報の抽出をする度に抽出条件を設定しなくても、予め設定された抽出情報を選択することで、複雑な条件でも簡単に検索を行える
【発明を実施するための最良の形態】
【００１３】
以下、本発明の好ましい実施形態について図面に基づき説明する。
図１に示す試料測定装置１は、血液の凝固・線溶機能に関連する特定の物質の量や活性の度合いを光学的に測定して分析するための装置であり、検体（試料）としては血漿が用いられる。この試料測定装置１では、凝固時間法、合成基質法および免疫比濁法を用いて複数の測定項目について、検体の光学的な測定を行っている。
【００１４】
本実施形態で用いる凝固時間法は、検体が凝固する過程を透過光の変化として検出する測定方法である。そして、測定項目としては、ＰＴ（プロトロンビン時間）、ＡＰＴＴ（活性化部分トロンボプラスチン時間）やＦｂｇ（フィブリノーゲン量）などがある。また、合成基質法の測定項目としてはＡＴＩＩＩ等があり、免疫比濁法としてはＤダイマー、ＦＤＰ等がある。
【００１５】
試料測定装置１は、測定機構部２と、測定機構部２に電気的に接続された制御装置４とにより構成されている。また、測定機構部２の前面側には検体搬送機構部３が配置されている。
【００１６】
検体搬送機構部３は、測定機構部２に検体を供給するために、検体を収容した複数の試験管２５０が載置されたラック２５１を測定機構部２の吸引位置に搬送する機能を有している。また、搬送機構部３は、未処理の検体を収容した試験管２５０が収納されたラック２５１をセットするためのラックセット領域３ａと、処理済みの検体を収容した試験管２５０が収納されるラック２５１を収容するためのラック収容領域３ｂとを有している。
【００１７】
測定機構部２は、搬送機構部３から供給された検体に対して光学的な測定を行うことにより、供給された検体に関する光学的な情報を取得することが可能なように構成されている。本実施形態では、搬送機構部３のラック２５１に載置された試験管２５０から測定機構部２のキュベット内に分注された検体に対して光学的な測定が行われる。
【００１８】
前記測定機構部２には、測定を行う際の検体が分注されるキュベットを投入するキュベット投入部５が設けられている。キュベット投入部５には、開閉可能な蓋５ａと、キュベット投入部５の中を視認可能な窓５ｂとが設けられている。蓋５ａを図１の閉状態から開くことで、キュベットをキュベット投入部内に投入することができる。また、ユーザは、窓５ｂからキュベット投入部５内のキュベット残量を視認することができる。
【００１９】
キュベット投入部５の前面側には、緊急停止ボタン１ａと、測定開始ボタン１ｂとが設けられている。緊急停止ボタン１ａは、緊急の場合に測定を停止させるためのものである。また、測定開始ボタン１ｂは、押されることで、検体の測定が開始されるよう構成されている。これにより、ユーザは、キュベットを投入した後、すぐに測定を開始することが可能である。なお、制御装置４の操作によっても測定の開始及び停止が可能である。
【００２０】
また、測定機構部２は、図示しない動作制御部を有しており、測定機構部２及び検体搬送機構部３の測定動作及び搬送動作を制御する。
【００２１】
制御装置４は、パーソナルコンピュータ（ＰＣ）４０１からなり、図１及び図２に示すように、制御部４ａと、表示装置４ｂと、キーボード等の入力装置４ｃとを含んでいる。
制御部４ａは、測定機構部２の動作制御部と接続されており、前記動作制御部に対して動作コマンドを送信することができる。また、制御部４ａは、測定機構部２で得た測定情報を受信して蓄積し、測定情報を分析することができる。
【００２２】
制御部４ａは、図２に示すように、ＣＰＵ４０１ａと、ＲＯＭ４０１ｂと、ＲＡＭ４０１ｃと、ハードディスク４０１ｄと、読み出し装置４０１ｅと、入出力インタフェース４０１ｆと、通信インタフェース４０１ｇと、画像出力インタフェース４０１ｈとから主として構成され、これらはバス４０１ｉによって接続されている。
【００２３】
ＣＰＵ４０１ａは、ＲＯＭ４０１ｂに記憶されているコンピュータグログラムおよびＲＭＡ４０１ｃにロードされたコンピュータプログラムを実行することが可能である。そして、後述するようなアプリケーションプログラム４０４ａをＣＰＵ４０１ａが実行することにより、コンピュータ４０１が制御装置４として機能する。
【００２４】
ＲＯＭ４０１ｂは、マスクＲＯＭ、ＰＲＯＭ、ＥＰＲＯＭ、ＥＥＰＲＯＭなどによって構成されており、ＣＰＵ４０１ａに実行されるコンピュータプログラムおよびこれに用いるデータなどが記録されている。
【００２５】
ＲＡＭ４０１ｃは、ＳＲＡＭまたはＤＲＡＭなどによって構成されている。ＲＡＭ４０１ｃは、ＲＯＭ４０１ｂおよびハードディスク４０１ｄに記録されているコンピュータプログラムの読み出しに用いられる。また、これらのコンピュータプログラムを実行するときに、ＣＰＵ４０１ａの作業領域として利用される。
【００２６】
ハードディスク４０１ｄは、オペレーティングシステムおよびアプリケーションプログラムなど、ＣＰＵ４０１ａに実行させるための種々のコンピュータプログラムおよびそのコンピュータプログラムの実行に用いるデータがインストールされている。本実施形態における測定情報抽出及び表示に関する制御部４ａの機能、並びにその他の後述の制御部４ａの機能を実現するためのアプリケーションプログラム４０４ａも、このハードディスク４０１ｄにインストールされている。
【００２７】
読出装置４０１ｅは、フレキシブルディスクドライブ、ＣＤドライブ、またはＤＶＤドライブなどによって構成されており、可搬型記録媒体４０４に記録されたコンピュータプログラムまたはデータを読み出すことができる。また、可搬型記録媒体４０４には、本実施形態に係るアプリケーションプログラム４０４ａが格納されており、コンピュータ４０１がその可搬型記録媒体４０４からアプリケーションプログラム４０４ａを読み出し、そのアプリケーションプログラム４０４ａをハードディスク４０１ｄにインストールすることが可能である。
【００２８】
なお、上記アプリケーションプログラム４０４ａは、可搬型記録媒体４０４によって提供されるのみならず、電気通信回線（有線、無線を問わない）によってコンピュータ４０１と通信可能に接続された外部の機器から上記電気通信回線を通じ提供することも可能である。たとえば、上記アプリケーションプログラム４０４ａがインターネット上のサーバコンピュータのハードディスク内に格納されており、このサーバコンピュータにコンピュータ４０１がアクセスして、そのアプリケーションプログラム４０４ａをダウンロードし、これをハードディスク４０１ｄにインストールすることも可能である。
【００２９】
また、ハードディスク４０１ｄには、たとえば、米マイクロソフト社が製造販売するＷｉｎｄｏｗｓ（登録商標）などのグラフィカルユーザインターフェース環境を提供するオペレーティングシステムがインストールされている。以下の説明においては、本実施形態に係るアプリケーションプログラム４０４ａは、上記オペレーティングシステム上で動作するものとしている。
【００３０】
入出力インタフェース４０１ｆは、例えば、ＵＳＢ、ＩＥＥＥ１３９４、ＲＳ−２３２Ｃなどのシリアルインターフェース、ＳＣＳＩ、ＩＤＥ、ＩＥＥＥ１２８４などのパラレルインターフェース、及びＤ／Ａ変換器、Ａ／Ｄ変換器などからなるアナログインターフェース等から構成されている。入出力インタフェース４０１ｆには、キーボード４ｃが接続されており、ユーザがそのキーボード４ｃを使用することにより、コンピュータ４０１にデータを入力することが可能である。
【００３１】
通信インタフェース４０１ｇは、例えば、Ｅｔｈｅｒｎｅｔ（登録商標）インタフェースである。コンピュータ４０１は、その通信インタフェース４０１ｇにより、所定の通信プロトコルを使用して測定機構部２との間でデータの送受信が可能である。また、コンピュータ４０１は、通信インタフェース４０１ｇにより、ＬＡＮなどのネットワークを介してホストコンピュータ１００などの他のコンピュータとの間で通信が可能である。
【００３２】
画像出力インタフェース４０１は、ＬＣＤまたはＣＲＴなどで構成された表示装置４ｂに接続されており、ＣＰＵ４０１ａによって与えられた画像データに応じた映像信号を表示部４ｂに出力するようになっている。表示装置４ｂは、入力された映像信号にしたがって、画像（画面）を表示する。なお、表示装置４ｂは、タッチパネル機能を有し、表示画面の表示されたボタンやアイコンなどをユーザが直接触れることによって選択または操作可能である。
【００３３】
図３は、前記アプリケーションプログラムによって実現される、制御部４ａの測定情報表示に関する機能を示すブロック図である。図３に示すように制御部４ａは、測定情報データベース４１０、測定情報データベースから測定情報を抽出する抽出部４１１、抽出された測定情報を表示装置４ｂに表示するための表示部４１２、表示情報を設定するためのカスタマイズ部４１３、表示条件をユーザが選択するための表示条件選択部４１４、表示情報が登録された表示情報データベースを有している。これらの各機能の詳細は、後述する。
【００３４】
図４は、前記アプリケーションプログラム４０４ａによって制御部４の表示装置４ｂに表示される画面（ウィンドウ画面）１０を示している。この画面１０は、測定機構部２の操作をしたり、検体の測定情報を表示したりするものである。
このウィンドウ画面１０は、ウィンドウ画面１０のタイトルを表示するタイトルバー１０ａ、アプリケーションプログラム４０４ａにおいて利用できる様々な機能のメニュー１０ｂ、アプリケーションプログラム４０４ａにおいて利用できる様々な機能を選択するためのツールバー１０ｃなどを有する非クライアント領域と、各種表示の行われるクライアント領域１０ｄとを有している。
【００３５】
［測定情報について］
リスト部１０ｄ−１ａに表示される測定情報は、１つの測定に対応して１つ生成され、１件の測定情報には、複数のデータ項目が含まれている。制御部４ａの測定情報データベース４１０には、多数（例えば１００００件）の測定情報を蓄積することができる。
１つの測定情報に含まれるデータ項目としては、図５（ａ）（ｂ）に示すように、検体番号、ラック番号、測定日時、測定状態（未測定、測定中、正常終了、要確認終了、エラー終了）、検体区分（通常検体、緊急検体、検量線試料、精度管理試料）、バリデートフラグ、ファイナルフラグ、再検フラグ、プリンタ出力状況フラグ、ホスト出力状況フラグ、ＭＤＡフラグ、及び各種測定項目並びにその他の項目がある。
【００３６】
測定情報は測定のオーダ登録が行われたときに生成され、生成された測定情報の各データ項目は、測定のオーダ登録が行われたとき、測定を開始したとき、各測定項目の測定結果が得られたとき、測定がすべて終了したときに生成ないし更新される。
例えば、測定のオーダ登録の際には、測定される予定の検体番号の登録、検体区分の登録及び複数の測定項目のうち当該検体において測定されるべき測定項目の登録などが行われ、さらに測定状態が「未測定」に設定登録される。また、測定を開始すると測定日時の記録などが行われ、さらに測定状態が「測定中」に設定登録される。
【００３７】
また、各測定項目の測定結果が得られると、順次、測定情報における対応測定項目に測定結果が記録される。さらに、測定がすべて終了すると、測定状態が「正常終了」、「要確認終了」又は「エラー終了」のいずれかに設定される。「正常終了」は、すべての測定項目の測定が正常に終了した場合であり、「要確認終了」は、すべての測定項目の測定が終了したが、１つ以上の測定項目についてユーザによる確認が必要な障害が発生した場合であり、「エラー終了」は、すべての測定項目の測定が終了したが、１つ以上の測定項目についてエラーが発生している場合である。
【００３８】
以上のように、測定情報は、検体の測定結果だけではなく、測定の進捗状況に関する情報を「測定状態」のデータ項目として持つ。つまり、測定情報の「測定状態」データ項目の内容によって、測定が未終了の場合（未測定又は測定中）と、測定が終了の場合（正常終了、要確認終了、エラー終了）が区別可能である。さらに、測定が未終了の場合として、測定が開始されていない「未測定」の場合と、測定が開始された「測定中」の場合を区別可能である。さらにまた、測定が終了の場合として、正常終了と非正常終了（要確認終了、エラー終了）とを区別可能である。
【００３９】
また、測定情報は、「検体区分」のデータ項目を持つため、各測定情報における検体（試料）の種類を区別することが可能である。さらに、測定情報は「測定日時」のデータ項目を持つため、各測定情報における測定日を確認可能となっている。
【００４０】
［測定情報の蓄積］
以下、上述した試料測定装置１による測定情報の蓄積の動作について説明する。図１４は、制御部４ａの測定情報の生成・更新処理フローを示すフローチャートである。図１、図３および図１４を参照して、制御部４ａの測定情報の生成・更新処理フローについて説明する。
【００４１】
ユーザによって、制御装置４の電源（図示せず）を入れられると、ステップＳ１において、制御部４ａの初期化（プログラムの初期化）が行われるとともに、測定機構部２の制御部（図示せず）の初期化（プログラムの初期化）、測定機構部２の各部の動作チェックが行われ、ユーザのログイン処理が行われる。また、制御装置４の表示装置４ｂに後述する初期画面であるメニュー画面（図示せず）が表示される。
【００４２】
次に、ステップＳ２において、制御部４ａは、ユーザからオーダ登録を受け付ける。このステップＳ２の処理は、メニュー画面中に設けられたオーダ登録用のアイコンが選択されたり、ジョブリスト画面（図４参照）の操作パネル領域１０ｄ−２からオーダ登録ボタンＰ１−ａが選択されることにより、図１３に示すオーダ登録画面５０が表示され、ユーザによって、オーダが登録される。具体的には、オーダ登録画面において、ユーザがラック番号５０ａを選択し、検体番号５０ｂを入力し、測定項目５０ｃを選択することにより、オーダが登録される。オーダが登録されると、ステップＳ３において、入力されたラック番号、検体番号、測定項目の情報を含んだ測定情報が生成され、図３に示す測定情報データベース４１０に記憶される。なお、ステップＳ３において記憶された測定情報では、未測定のフラグがセットされている。
【００４３】
次に、ステップＳ４において、ユーザによって、図４の画面１０のツールバー１０ｃの「開始」ボタンが選択されると、ステップＳ５において、測定機構部２の制御部にスタート信号が送信され、測定が開始される。そして、図１に示す測定機構部２の検体搬送機構部３によって、検体を収容した複数の試験管２５０が載置されたラック２５１が測定機構部２の吸引位置に搬送され、検体に貼付されたバーコードが読み取られ、バーコード情報が制御部４ａに送信される。
【００４４】
次に、ステップＳ６において、制御部４ａによって、バーコード情報が受信されると、ステップＳ７において、測定機構部２の制御部から測定項目に対応する測定開始信号が受信される。そして、ステップＳ８において、当該測定情報の当該測定項目に対応する測定中のフラグがセットされ、測定情報データベース４１０の測定情報が更新される。
【００４５】
次に、ステップＳ６において、制御部４ａによって、測定エラーがあるか否かが判断され、測定エラーがある場合には、ステップＳ１０において、当該測定情報の測定エラーのフラグがセットされ、測定情報データベース４１０の測定情報が更新される。また、ステップＳ６において、測定エラーがない場合にはステップＳ１１に進む。
【００４６】
次に、ステップＳ１１において、制御部４ａによって、測定データが受信されると、ステップＳ１２において、当該測定情報の測定中フラグが解除され、対応する測定項目の測定結果に前記測定データが書き込まれ、測定情報データベース４１０の測定情報が更新される。
【００４７】
次に、ステップＳ１３において、制御部４ａによって、検体の全ての測定項目のデータを受信したか否かが判断され、検体の全ての測定項目に対応するデータを受信した場合には、当該測定情報の測定完了フラグがセットされ、測定情報データベース４１０の測定情報が更新される。ステップＳ１３において、検体の全ての測定項目に対応するデータを受信していない場合には、ステップＳ９に戻る。
【００４８】
次に、ステップＳ１５において、ユーザによって、制御装置４の表示装置４ｂに表示された画面１０のツールバー１０ｃ（図４）から、シャットダウンが選択されると、ステップＳ１６において、制御部４ａによって、制御機構部２の制御部にシャットダウン信号が送信されるとともに、制御装置４と測定機構部２のシャットダウン処理が実行される。ステップＳ１５において、シャットダウンが選択されなかった場合には、ステップＳ７に戻る。
【００４９】
［測定情報の抽出］
次に、試料測定装置１が以上のようにして測定情報データベース４１０に蓄積された測定情報を抽出し、表示する動作について説明する。図１５は、制御部４ａの測定情報の抽出フローを示すフローチャートである。
ユーザによって、制御装置４の電源（図示せず）が入れられると、ステップＳ２１において、制御部４ａの初期化（プログラムの初期化）が行われるとともに、ステップＳ２２において、制御装置４の表示装置４ｂに初期画面であるメニュー画面（画面１０）が表示される。そして、ステップＳ２３において、ユーザによって、ジョブリストの表示指示を受け付ける。このステップＳ２３の処理は、ユーザが図４に示すツールバー１０ｃの「Ｊｏｂｌｉｓｔ」（ジョブリスト）又はメニュー１０ｂから図示しない「ｊｏｂｌｉｓｔ」を選択することによって行われる。ステップＳ２３において、ユーザからジョブリストの表示指示を受け付けた場合には、ステップＳ２４において、表示装置４ｂに「ｊｏｂｌｉｓｔ」が表示される。図４の画面１０は、「Ｊｏｂｌｉｓｔ」が選択されて、クライアント領域１０ｄに測定情報のリストが表示された状態を示している。
【００５０】
ここで、ステップＳ２４で表示されるジョブリストの表示画面について詳細に説明する。「Ｊｏｂｌｉｓｔ」が選択された場合、クライアント領域１０ｄには、リスト表示領域１０ｄ−１と、操作パネル領域１０ｄ−２とが表示される。リスト表示領域１０ｄ−１は、検体の測定情報をリスト表示するためものであり、リスト部１０ｄ−１ａとボタン部１０ｄ−１ｂとが含まれる。リスト部１０ｄ−１ａは、制御部４ａの記憶部（ハードディスク４０１ｄ等）に蓄積された測定情報データベース４１０中の測定情報をリスト表示するためのものである。リスト部１０ｄ−１ａには、１行に１件の測定情報を表示でき、複数（ここでは１０件）の測定情報を１度に表示することができる。なお、ボタン部１０ｄ−１ｂは、表示されるリストを上下左右に移動させるためのものである。
【００５１】
操作パネル領域１０ｄ−２には、画面１０中に表示されている第１操作ページＰ１の他、ページ切替により、第２操作ページＰ２及び第３操作ページＰ３をそれぞれ表示することができる。各操作ページＰ１〜Ｐ３には、様々な操作ボタンが表示される。
【００５２】
第１操作ページＰ１の「オーダ登録」ボタンＰ１−ａは、制御部４において測定オーダを登録する場合に用いられ、このボタンを選択することにより測定オーダ登録画面が表示される。同「ブラウザ」ボタンＰ１−ｂは、リスト部１０ｄ−１ａにおけるカーソル行となっている検体の測定結果をブラウザで別途表示するためのものである。同「バリデート」ボタンＰ１−ｃは、検体の測定結果をバリデートするためのものであり、このボタンを選択することによりバリデートダイアログが表示される。
同「表示条件」ボタンＰ１−ｄは、リスト部１０ｄ−１ａに表示する条件を選択する表示条件選択ダイアログを表示するためのものである。同「検索」ボタンＰ１−ｅは、リスト部１０ｄ−１ａに表示されているリストから特定の検体などを検索するための検索ダイアログを表示するためのものである。同「その他」ボタンＰ１−ｆは、次の操作ページＰ２への切替操作を行うためのものである。同「閉じる」ボタンＰ１−ｇは、ジョブリスト画面を閉じて、ジョブリスト画面表示前の画面に戻るためのものである。
【００５３】
第２操作ページＰ２の「マーク」ボタンＰ２−ａは、各測定情報にマークを付けるためのものである。同「印刷」ボタンＰ２−ｂは測定情報（測定結果）を印刷するためのものであり、このボタンを選択することにより印刷ダイアログが表示される。同「ホスト出力」ボタンＰ２−ｃは、測定情報（測定結果）をホストコンピュータ１００へ出力するためのものであり、このボタンを選択することによりホスト出力ダイアログが表示される。
同「削除」ボタンＰ２−ｄは、測定が完了した検体の測定情報及び未測定の検体の測定情報（オーダ登録情報）を削除するためのものであり、このボタンを選択することにより削除ダイアログが表示される。同「編集」ボタンＰ２−ｅは、測定情報（測定結果又はオーダ登録情報）の編集を行うためのものであり、このボタンを選択することにより測定結果又はオーダ登録情報の編集ダイアログが表示されるが、測定中に選択すると警告ダイアログが表示される。
同「再計算」ボタンＰ２−ｆは、演算項目を再計算するためのものである。同「その他」ボタンＰ２−ｇは、次の操作ページＰ３への切替操作を行うためのものである。同「閉じる」ボタンＰ２−ｈは、ジョブリスト画面を閉じて、ジョブリスト画面表示前の画面に戻るためのものである。
【００５４】
第３操作ページＰ３の「エクスポート」ボタンＰ３−ａは、測定情報データベース４１０中の測定情報をエクスポートするためのものである。同「カスタマイズ」ボタンＰ３−ｂは、リスト部１０ｄ−１ａの表示をユーザがカスタマイズするためのものであり、このボタンを選択するカスタマイズダイアログが表示される。
同「その他」ボタンＰ３−ｃは、次の操作ページＰ１への切替操作を行うためのものである。同「閉じる」ボタンＰ３−ｄは、ジョブリスト画面を閉じて、ジョブリスト画面表示前の画面に戻るためのものである。
【００５５】
このようなジョブリストが表示された後、図１５に示すフローチャートのステップＳ２５において、制御部４ａによって、表示条件ダイアログの表示指示がなされたか否かが判断される。ステップ２５において、表示条件ダイアログの表示指示がなされた場合には、ステップＳ２６において、表示条件ダイアログが表示される。具体的には、ステップＳ２５において、ユーザが「表示条件」ボタンＰ１−ｄを選択することによって表示条件ダイアログの表示指示なされる（図４参照）。すると、図６に示す表示条件ダイアログ（表示条件選択部４１４；抽出情報選択手段）２０が表示される（ステップＳ２６）。表示条件ダイアログ２０には、制御部４ａの表示情報データベース４１５に既登録の表示条件を選択するためのボタンが、表示条件名称とともに表示される。具体的には、「当日分」ボタン２０ａ、「緊急検体（当日）」ボタン２０ｂ、「測定未完了」ボタン２０ｃ、「未バリデート」ボタン２０ｄ、「バリデート済み」ボタン２０ｅ、「ホスト未出力」ボタン２０ｆ、「ＱＣ／検量線」ボタン２０ｇ、「全検体」ボタン２０ｈ、「正常終了緊急検体」ボタン２０ｉ、及び「エラー通常検体」ボタン２０ｊが表示される。また、ステップ２５において、表示条件ダイアログの表示指示がなされなかった場合には、ステップＳ３０に進む。
【００５６】
これらのボタンのうち、「当日分」ボタン２０ａ〜「全検体」ボタン２０ｈは、アプリケーションプログラム４０４ａの初期設定において既登録の初期設定表示条件２１であり、「正常終了緊急検体」ボタン２０ｉ及び「エラー通常検体」ボタン２０ｊは、ユーザが設定したカスタマイズ表示条件２２である。表示条件として、初期設定表示条件２１があることで、ユーザがカスタマイズ表示条件をわざわざ作らなくても、基本的な表示条件についてはユーザが利用可能である。また、カスタマイズ表示条件２２を設けることができるので、試料測定装置１が設置される施設に応じた柔軟な表示条件を設定できる。なお、カスタマイズ表示条件の設定方法については後述する。
【００５７】
表示情報データベース４１５に登録されている各表示条件２０ａ〜２０ｊは、それぞれ、測定情報の抽出情報と、抽出された測定情報の表示方法に関する情報を有している。「抽出情報」は、１又は複数の抽出条件の集合であり、当該抽出条件は、制御部４に蓄積されている多数の測定情報の中から表示するために抽出する条件である。「表示方法」は、抽出された測定情報をリスト部１０ｄ−１ａに表示する際の表示順を定めたものである。
【００５８】
次に、図１５に示すフローチャートのステップＳ２７において、制御部４ａによって、表示条件ボタンが押下されたか否か（表示条件が選択されたか否か）が判断される。ユーザが、表示条件ダイアログ２０において任意の表示条件を選択すると、ステップＳ２８において、制御部４ａの抽出部４１１は、データベース４１５から選択された表示条件（抽出情報）を獲得し、選択された表示条件（抽出情報）の抽出条件に従って測定情報データベース４１０を検索し、抽出条件に合致する測定情報を抽出する。例えば、表示条件として「当日分」が選択された場合、測定情報における測定日時のデータ項目を検索して、当日分の測定情報を抽出する。ステップＳ２９において、抽出された測定情報は表示部４１２に与えられ、選択された表示条件における表示方法の順番に従ってリスト部１０ｄ−１ａに一覧表示される。
なお、表示された測定情報の各表示項目のうち、測定結果の表示項目は、測定済みであれば、測定結果（測定値）が表示され、未測定又は測定中の表示項目については、「チェック」印が表示される（図４参照）。
【００５９】
また、表示条件が選択されると、図４に示すように、画像１０のタイトルバー１０ａに表示条件名（図４では「当日分」）が表示される。選択された表示条件（抽出情報）の名称を、測定情報の表示とともに表示することで、複数の表示条件（抽出情報）があっても、現在どのような表示条件（抽出情報）で表示されているかをユーザが簡単に確認することができる。
【００６０】
次に、図１５に示すフローチャートのステップＳ３０において、制御部４ａによって、表示条件設定ダイアログの表示指示がなされたか否かが判断され、表示条件設定ダイアログの表示指示がなされた場合には、ステップＳ３１において表示条件設定ダイアログが表示される。また、表示条件設定ダイアログの表示指示がなされなかった場合には、後述するステップＳ３５に進む。表示条件設定ダイアログを表示するには、まず、カスタマイズダイアログを表示し、「表示条件」タブにおいて、「表示条件設定」ボタンを押すことによりなされる。
ここで、カスタマイズダイアログについて詳細に説明する。
図４の画面１０において、「カスタマイズ」ボタンＰ３−ｂを選択すると、リスト部１０ｄ−１ａの表示条件等のカスタマイズを行うことができる。つまり、ユーザは、新規カスタマイズ表示条件２２を作成したり、既登録表示条件２１，２２の編集を行ったりすることができる。また、ユーザは、リスト部１０ｄ−１ａに表示される測定情報の表示項目の設定も行える。
前記「カスタマイズ」ボタンＰ３−ｂが押されると、図６及び図７に示すカスタマイズダイアログ（カスタマイズ画面；カスタマイズ部４１３）３０が表示される。ただし、権限を有しないユーザが「カスタマイズ」ボタンＰ３−ｂを押しても、カスタマイズダイアログは表示されず、警告ダイアログが表示される。なお、カスタマイズのための権限の有無は、アプリケーションプログラム４０４ａへのログインアカウントによって判定される。例えば、夜間操作者権限でログインした場合には、表示のカスタマイズは行えない。したがって、無権限者による表示条件等の変更・追加が防止される。
【００６１】
カスタマイズダイアログ３０は、図７に示すように「表示項目」設定タブ（表示項目設定部４１３ａ）３１と、図８に示すように「表示条件」設定タブ（表示条件設定部４１３ｂ）３２とを有している。
【００６２】
図７の表示項目設定タブ３１では、リスト部１０ｄ−１ａに表示される測定情報の表示項目の選択とその順番の設定が行える。表示項目設定タブ３１は、リスト部１０ｄ−１ａに表示可能な測定情報の項目の選択肢一覧を示す項目一覧部３１ａと、リスト部１０ｄ−１ａに表示される表示項目を設定するフィールドである表示項目部３１ｂとを有している。表示項目部３１ｂの＜＜Ｆｉｘｅｄ＞＞項目には、リスト部１０ｄ−１ａの表示をボタン部１０ｄ−１ｂによって横スクロールさせても表示から消えない項目が設定され、＜＜Ｆｌｏａｔｉｎｇ＞＞項目には、横スクロールされる項目が設定される。
また、表示項目設定タブ３１では、項目一覧部３１ａのカーソルで選択されている項目を表示項目部３１ｂのカーソル位置に挿入する挿入ボタン３１ｃ、項目一覧部３１ａのカーソルで選択されている項目を表示項目部３１ｂの最下行に追加する追加ボタン３２ｄ、及び表示項目部３１ｃで選択されている項目を削除する削除ボタン３１ｅを有している。
【００６３】
ボタン３１ｃ，３１ｄ，３１ｅの操作によって、リスト部１０ｄ−１ａにおいて表示したい項目を表示項目部３１に設定することで、リスト部１０ｄ−１ａに表示される項目をユーザが自由に設定することができる。設定された表示項目は、制御部４ａの表示情報データベースに記憶される。表示項目の設定後は、選択された表示条件によって抽出された測定情報の各データ項目のうち、設定された表示項目がリスト部１０ｄ−１ａに表示される。
また、表示項目の設定は、複数の表示条件に共通して有効なものであり、どの表示条件を選択しても同じ表示項目が表示されるため、表示の統一感を保つことができる。なお、各表示条件に対して個別に表示項目を設定してもよい。
【００６４】
図８の表示条件設定タブ３２では、表示条件の設定（新規作成、削除、編集）が行える。表示条件設定タブ３２は、制御部４ａの表示情報データベース４１４に登録されている表示条件の一覧を表示する表示条件一覧部３２ａを有している。
さらに、表示条件設定タブ３２では、表示条件一覧部３２ａにおいて選択されている表示条件の名称を表示する表示条件名表示部３２ｂ、表示条件一覧部３２ａで選択されている表示条件を１つ上に移動する「上へ移動」ボタン３２ｃ、表示条件一覧部３２ａで選択されている表示条件を１つ下に移動する「下へ移動」ボタン３２ｄ、表示条件一覧部３２ａで選択されている表示条件の変更（編集）を行うための表示条件設定ダイアログを表示する「表示条件設定」ボタン３２ｅ、表示条件一覧部３２ａに新規の表示条件を追加する「追加」ボタン３２ｆ、及び表示条件一覧部３２ａにおいて選択されている表示条件を削除する「削除」ボタン３２ｇを備えている。
【００６５】
新しい表示条件を追加する場合、まず、ユーザは、「追加」ボタン３２ｆを選択する。すると、図８に示すように「新たな表示条件」の名称で、追加の表示条件が生成される。その表示条件の名称を設定（変更）したい場合には、ユーザは、表示条件名表示部３２ｂに名称を入力すればよい。
例えば、図１１に示すように、ユーザは、キーボード４ｃを用いて、表示条件名表示部３２ｂに表示された「新たな表示条件」を「正常終了緊急検体」の名称に変更することができる。
表示条件の内容を設定する場合には、「表示条件設定」ボタン３２ｅを選択して、図９及び図１０に示す表示条件設定ダイアログ（表示条件設定画面）４０を表示させる。
【００６６】
表示条件設定ダイアログ４０は、図９に示すフィルタタブ（抽出情報設定画面；抽出条件設定手段）４１と、図１０に示すソートタブ（表示方法（表示順）設定画面；表示方法（表示順）設定部）とを有している。
ステップＳ３２における設定の受付は、以下に説明するチェックボックスを選択することにより、実行される。
図９に示すフィルタタブ４１は、「フィルタを使用する」チェックボックス４１ａ、「測定状態・結果を指定する」チェックボックス４１ｂ、「検体区分を指定する」チェックボックス４１ｃ、「フラグを指定する」チェックボックス４１ｄ、「外部出力状態を指定する」チェックボックス４１ｅ、「ＭＤＡ測定」チェックボックス４１ｆ、「測定日を指定する」チェックボックス４１ｇを有している。
【００６７】
「フィルタを使用する」チェックボックス４１ａは、フィルタタブ４１で設定されている抽出条件（フィルタ条件）を使用するか否かを選択するためのものである。
「測定状態・結果を指定する」チェックボックス４１ｂは、測定情報のデータ項目のうち、「測定状態」に対する検索を行うか否かを選択するものである。このチェックボックス４１ｂを選択した場合、「未測定」、「測定中」、「正常終了」、「要確認」、「エラー」の各状態のチェックボックス選択することで、測定情報を測定状態ごとに抽出することが可能である。なお、複数の測定状態を選択することも可能である。
本実施形態では、抽出条件として「測定状態」を設定できるため、測定の進捗状況（未測定、測定中、測定終了）を抽出条件として設定可能となっている。したがって、例えば、測定が未完了のものを抽出したければ、「未測定」と「測定中」のチェックボックスを選択すればよく、測定が終了したものを抽出したければ、「正常終了」「要確認」及び「エラー」のチェックボックスを選択すればよい。
【００６８】
「検体区分を指定する」チェックボックス４１ｃは、測定情報のデータ項目のうち、「検体区分」に対する検索を行うか否かを選択するものである。このチェックボックス４１ｃを選択した場合、「通常検体」、「緊急検体」、「検量線」、「精度管理」の各区分のチェックボックス選択することで、測定情報を検体の種類ごとに抽出することが可能である。なお、複数の検体区分を選択することも可能である。
【００６９】
「フラグを指定する」チェックボックス４１ｄは、測定情報のデータ項目のうち、「バリデートフラグ」、「ファイナルフラグ」、「再検フラグ」に対する検索を行うか否かを選択するものである。このチェックボックス４１ｄを選択した場合、「バリデート」「最終報告」、「再検」の各フラグのチェックボックスを選択することで、測定情報を各フラグの状態（ＯＮ／ＯＦＦ）に応じて抽出することが可能である。なお、複数のフラグを選択することも可能である。
【００７０】
ここで、バリデートフラグは、測定結果がバリデートされているか否か（バリデート状態）を示している。また、ファイナルフラグは、１つの検体についての複数の測定情報（測定結果）がある場合に最終の測定情報であることを示すためのものである。なお、１つの検体について１つの測定情報しかなく再測定も行わない場合は、その測定情報が最終の測定情報とされる。再検フラグは、再測定された測定情報であることを示すためのものである。
【００７１】
本実施形態では、測定結果の状態（バリデートの有無、ファイナルか否、再測定か否か）を測定情報の抽出条件として設定できるため、測定結果の状態に応じて測定情報を抽出することが可能である。
【００７２】
「外部出力状態を指定する」チェックボックス４１ｅは、測定情報のデータ項目のうち、「プリンタ出力状況フラグ」、「ホスト出力状況フラグ」に対する検索を行うか否かを選択するものである。このチェックボックス４１ｅを選択した場合、「印刷」、「ＨＣ」（ホストコンピュータの略）の各フラグのチェックボックスを選択することで、測定情報を各フラグの状態（ＯＮ／ＯＦＦ）に応じて抽出することが可能である。なお、複数のフラグを選択することも可能である。
【００７３】
ここで、「プリンタ出力状況フラグ」は、測定情報をプリンタに出力したか、すなわち印刷したか否かを示している。「ホスト出力状況フラグ」は測定情報をホストコンピュータ１００に出力したか否かを示している。
本実施形態では、測定情報の出力の有無を抽出条件として設定できるため、出力の有無に応じて測定情報を抽出することができる。
【００７４】
「ＭＤＡを指定する」チェックボックス４１ｆは、測定情報のデータ項目のうち、「ＭＤＡフラグ」に対する検索を行うか否かを選択するものである。このチェックボックス４１ｆを選択し、「ＭＤＡ」のチェックボックスを選択することで、測定情報を「ＭＤＡフラグ」の状態（ＯＮ／ＯＦＦ）に応じて抽出することが可能である。
ここで、「ＭＤＡフラグ」は、ＭＤＡ（複数希釈分析：Ｍｕｌｔｉ  Ｄｉｌｕｔｉｏｎ  Ａｎａｌｙｓｉｓ）の有無を示している。ＭＤＡとは、同じ検体に対して検体の希釈倍率を変えた複数の測定を行うことをいう。
【００７５】
「測定日を指定する」チェックボックス４１ｇは、測定情報のデータ項目のうち、「測定日時」に対する検索を行うか否かを選択するものである。このチェックボックス４１ｇを選択し、抽出した測定情報の測定日を設定することで、測定情報を測定日（測定期間）に応じて抽出することが可能である。
【００７６】
フィルタタブ４１では、上記抽出条件をユーザが適宜選択することで、多様な抽出条件の組み合わせからなる抽出情報（表示条件）を設定することができる。このようにして抽出条件を選択した状態で、ユーザが登録ボタンを選択することにより、抽出情報がハードディスク４０１ｄに記憶されて登録される。また、表示条件ダイアログ２０には、この登録された抽出情報に対応する新しいボタンが追加される。
上述のような表示条件設定ダイアログが表示された状態で、制御部４ａによって、ユーザから上述のように抽出条件の設定の受け付けがなされ（ステップＳ３２）、登録ボタンが選択されたか否かが判断される（ステップＳ３３）。ステップＳ３３において、設定が完了しなかった場合には、ステップＳ３２に戻る。
例えば、新たな表示条件として、「正常終了緊急検体」の表示条件を設定した例を図１２に示す。図１２に示す「正常終了緊急検体」の表示条件ダイアログは、「フィルタを使用する」チェックボックス４１ａが選択され、「測定状態・結果を指定する」チェックボックス４１ｂが選択されてさらに正常終了を選択され、「検体区分を指定する」チェックボックス４１ｃが選択されてさらに緊急検体が選択され、「測定日を指定する」チェックボックス４１ｇが選択されてさらに「今日」が選択されている。これにより、今日測定した緊急検体において正常終了した検体の表示条件を示す「正常終了緊急検体」が設定できたことになる。
次に、図１５に示すフローチャートのステップＳ３３において、制御部４ａによって、登録ボタンの選択を受け付けた場合には、ステップ３４において、表示条件が登録される。登録された表示条件は、表示条件ダイアログ２０に新たな表示条件ボタンとして追加される。具体的には、図１２に示す「正常終了緊急検体」の表示条件ダイアログ４０の「登録」ボタンを押すことにより、図１１に示すカスタマイズダイアログ３０の表示条件一覧部３２ａの「正常終了緊急検体」の表示条件が登録され、カスタマイズダイアログ３０の「ＯＫ」ボタンを押すことによりカスタマイズダイアログ３０が閉じられる。これにより、今日測定した緊急検体において正常終了した検体の表示条件を示す「正常終了緊急検体」は、図６に示す表示条件ダイアログ２０の「正常終了緊急検体」ボタン２０ｉとして設定される。このように、ユーザが所望する検体を検索する場合には、予め所望する検体の表示条件を選択し登録しておけば、登録した表示条件とリンクしたボタンを押すだけ、所望の検体を簡単に検索可能である。
また、ユーザが使用する表示条件は、概ね一定であることが多い。つまり、多くのユーザは特定の表示条件を繰り返し使用する。このような使用頻度の高い条件を設定登録しておけば便利である。
【００７７】
図１０に示すソートタブ４２は、フィルタタブ４１で設定された抽出条件で抽出された測定情報のソートを行うための条件を設定するためのものであり、「ソートを使用する」チェックボックス４２ａ、ソートのための「第１キー」設定部４２ｂ、「第２キー」設定部４２ｃ、「第３キー設定部」４２ｄを有している。
【００７８】
「ソートを使用する」チェックボックス４２ａは、ソートタブ４２で設定されている表示方法（表示順；ソート順）を使用するか否かを選択するためのものである。このチェックボックスがチェックされていない場合、測定日時の昇順で、抽出された測定情報が表示される。
【００７９】
「第１キー」設定部４２ｂは、ソートの第１キーを選択するためのものであり、測定情報のデータ項目のうち、ソートのキーとなる項目（図１０では「ラック番号」）を選択し、当該キーによる測定情報の並び順（昇順又は降順）を設定するためのものである。
また、「第２キー」設定部４２ｃ及び「第３キー」設定部４２ｄも、「第１キー」設定部４２ｂと同様の設定が行える。なお、第１キーは、第２キー及び第３キーよりも優先して適用され、第２キーは第３キーよりも優先して適用される。
【００８０】
ソートタブ４２では、測定情報の表示順（表示方法）をユーザが適宜設定できるため、ユーザが見やすい順序で測定情報を表示させることができる。
しかも、１つの表示条件の中に、抽出情報と表示方法の両方を設定できるため、抽出される測定情報に応じて表示方法を設定することができ、抽出条件に応じて表示方法を簡単に変えることができる。
また、フィルタタブ４２で設定された抽出情報とソートタブ４２で設定された表示方法は、「表示条件」として統合されるため、図６の表示条件ダイアログ２０で表示条件を選択するだけで、抽出情報と表示方法の両方を選ぶことになり、操作が容易である。すなわち、本実施形態では、フィルタタブ４２で設定された抽出情報とソートタブ４２で設定された表示方法を別々に選択する必要がなく、一括した選択が可能である。
【００８１】
次に、図１５に示すフローチャートのステップＳ３５において、ユーザによって、制御装置４の表示装置４ｂに表示された画面１０のツールバー１０ｃ（図４）から、シャットダウンが選択されると、ステップＳ１６において、制御部４ａによって、制御機構部２の制御部にシャットダウン信号が送信されるとともに、制御装置４と測定機構部２のシャットダウンが行われ、処理が終了する。ステップＳ３５において、シャットダウンが選択されなかった場合には、ステップ２５に戻る。
【００８２】
なお、本発明は、上記実施形態に限定されるものではなく、様々な変形が可能である。
【図面の簡単な説明】
【００８３】
【図１】試料測定装置の斜視図である。
【図２】試料測定装置の制御部のハードウェア構成図である。
【図３】試料測定装置の制御部の機能ブロック図である。
【図４】試料測定装置の表示画面である。
【図５】測定情報のデータ項目を示す図である。
【図６】表示条件ダイアログである。
【図７】カスタマイズダイアログの表示項目タブである。
【図８】カスタマイズダイアログの表示条件タブである。
【図９】表示条件設定ダイアログのフィルタタブである。
【図１０】表示条件設定ダイアログのソートタブである。
【図１１】新しい表示条件名を付ける際の、カスタマイズダイアログの表示条件タブである。
【図１２】新しい表示条件を設定する際の、表示条件ダイアログのフィルタタブである。
【図１３】オーダ登録画面である。
【図１４】制御部の測定情報の生成・更新処理フローチャートである。
【図１５】制御部の測定情報の抽出処理フローチャートである。
【符号の説明】
【００８４】
１    試料測定装置
２    測定機構部
３    制御装置
４１１    抽出部（抽出手段）
４１２    表示部（表示手段）
４１３ｂ  表示条件設定部（抽出情報設定手段）
４１４    表示条件選択部（選択手段）
【図１】
2008051723.tif 000003
【図２】
2008051723.tif 000004
【図３】
2008051723.tif 000005
【図４】
2008051723.tif 000006
【図５】
2008051723.tif 000007
【図６】
2008051723.tif 000008
【図７】
2008051723.tif 000009
【図８】
2008051723.tif 000010
【図９】
2008051723.tif 000011
【図１０】
2008051723.tif 000012
【図１１】
2008051723.tif 000013
【図１２】
2008051723.tif 000014
【図１４】
2008051723.tif 000015
【図１５】
2008051723.tif 000016
【図１３】
2008051723.tif 000017